(57)【要約】【課題】装置を小型化でき、また、安価に実現することができる移動式金型反転装置を提供する。【解決手段】第１支持面１３を備えた第１支持盤１５と第２支持面１７を備えた第２支持盤１９とがＬ字型に連結されてなる、金型５０を載置可能な金型支持盤１１を有し、第１支持盤１５に第１車輪２３が設けられるとともに、第２支持盤１９に第２車輪２７が設けられ、金型支持盤１１における第１支持盤１５と第２支持盤１９との連結部４３に、連結部４３に最も近い第１車輪２３と第２車輪２７の、それぞれ支持面から遠い方の外周を結ぶ共通接線Ａより外側に突出した接地部４９が形成されている。【選択図】図１
2008290270.tif 000002
【特許請求の範囲】
【請求項１】
第１支持面を備えた第１支持盤と第２支持面を備えた第２支持盤とがＬ字型に連結されてなる、金型を載置可能な金型支持盤を有し、
前記第１支持盤に少なくとも一つの第１車輪が設けられるとともに、前記第２支持盤に少なくとも一つの第２車輪が設けられ、
前記金型支持盤における前記第１支持盤と第２支持盤との連結部に、連結部に最も近い前記第１車輪と連結部に最も近い第２車輪の、それぞれ支持面から遠い方の外周を結ぶ共通接線より外側に突出した接地部が形成されている移動式金型反転装置。
【請求項２】
前記第１支持盤および第２支持盤の少なくとも一方に、前記金型を反転させるための操作用レバーが着脱可能に設けられている請求項１に記載の移動式金型反転装置。
【発明の詳細な説明】
【技術分野】
【０００１】
本発明は、移動式金型反転装置に関するものである。
【背景技術】
【０００２】
従来から、射出成形機で用いる金型の交換や分解などを目的として金型を反転させることがある。金型を反転させる方法として、一般的にはクレーンやチェーンブロックを使用して金型を吊り上げた後に、金型を反転させている。しかしながら、従来の方法では、作業に多くの手間や時間がかかり、また重量物の落下や挟まれによる危険を伴う場合が多かった。
【０００３】
このような問題を解消するために、近年では金型反転装置が提案されている。具体的には、左右一対の金型支持盤の基端部を、枢支機構を介して共通の軸心回りに回動可能に支持し、その枢支機構を基台の上端に固定し、各金型支持盤を駆動する油圧シリンダを対応する各盤の下面側近傍位置に配設して、基台と金型支持盤の下面の先端側部分とに連結したものが知られている（例えば、特許文献１参照）。
【特許文献１】特開平８−８０５３１号公報
【発明の開示】
【発明が解決しようとする課題】
【０００４】
ところで、上述の特許文献１に開示されている金型反転装置は、設置場所が固定されるとともに、設置面積が大きくなるという問題があった。また、装置が自動化されているため、装置の製造コストが高くなるという問題があった。
【０００５】
そこで、本発明は、上述の事情を鑑みてなされたものであり、装置を小型化でき、また、安価に実現することができる移動式金型反転装置を提供することを目的としている。
【課題を解決するための手段】
【０００６】
上記の課題を解決するために、請求項１に記載した発明は、第１支持面を備えた第１支持盤と第２支持面を備えた第２支持盤とがＬ字型に連結されてなる、金型を載置可能な金型支持盤を有し、前記第１支持盤に少なくとも一つの第１車輪が設けられるとともに、前記第２支持盤に少なくとも一つの第２車輪が設けられ、前記金型支持盤における前記第１支持盤と第２支持盤との連結部に、連結部に最も近い前記第１車輪と連結部に最も近い第２車輪の、それぞれ支持面から遠い方の外周を結ぶ共通接線より外側に突出した接地部が形成されていることを特徴としている。
【０００７】
請求項２に記載した発明は、前記第１支持盤および第２支持盤の少なくとも一方に、前記金型を反転させるための操作用レバーが着脱可能に設けられていることを特徴としている。
【発明の効果】
【０００８】
本発明によれば、金型支持盤を第１支持盤と第２支持盤とで略Ｌ字状に形成し、金型支持盤に車輪を設けて、移動式金型反転装置を構成しているため、装置を小型化することができるとともに、安価に実現することができる。また、金型支持盤に接地部を形成しているため、金型支持盤を容易に反転させることができる。さらに、金型支持盤に車輪を設けたため、容易に移動させることができる。
【発明を実施するための最良の形態】
【０００９】
次に、本発明の実施形態を図１〜図４に基づいて説明する。
図１、図２に示すように、移動式金型反転装置１０は、２枚の鋼板を直角に接合したＬ字型の金型支持盤１１を備えている。金型支持盤１１は、第１支持面１３を備えた第１支持盤１５と、第２支持面１７を備えた第２支持盤１９とで構成されている。第１支持面１３または第２支持面１７に金型５０が載置可能に構成されている。
【００１０】
また、第１支持盤１５における第１支持面の反対側の裏面２１には、第１車輪２３が設けられており、第２支持盤１９における第２支持面１７の反対側の裏面２５には、第２車輪２７が設けられている。第１車輪２３および第２車輪２７は、それぞれ４個の車輪で構成されており、水平面上に設置されている何れかの車輪を用いて、水平方向に移動可能に構成されている。なお、裏面２１および裏面２５にそれぞれ４個の車輪を装備すると移動時のバランスを確実に保持することができるため好ましいが、それぞれ２個の車輪を装備してもよい。また、これら第１車輪２３および第２車輪２７は、移動中に左右の進行方法を容易に変更することができるように、床面に垂直な軸を中心に回転できるようにしても良い。なお、金型支持盤１１の連結部４３に最も近い車輪２３ａおよび２７ａは、反転操作時の金型支持盤１１のバランスを保持するために、床面に垂直な軸を中心に回転しないように固定する方が好ましい。
【００１１】
また、裏面２１には、操作用レバー３０の端部を差込み可能に構成された中空形状の第１差込み部材３１が設けられている。裏面２５にも、同じく中空形状の第２差込み部材３３が設けられている。第１差込み部材３１および第２差込み部材３３は、例えば鋼管などで形成されており、裏面２１および裏面２５にそれぞれ溶接接合されている。また、第１差込み部材３１および第２差込み部材３３は、それぞれ２個ずつ設けられている。
【００１２】
操作用レバー３０は、例えば金属製の棒材で形成されており、２本の棒材３５，３５を備えている。２本の棒材３５，３５は、それぞれ第１差込み部材３１または第２差込み部材３３にその端部を差込み可能に構成されている。２本の棒材３５，３５は、互いを連接するように中間部材３７を設けることが好ましい。すなわち中間部材３７により、２本の棒材３５，３５は連接し、操作用レバー３０として一体化することにより、取り扱い性が向上する。
【００１３】
さらに、裏面２１および裏面２５には、第１支持盤１１および第２支持盤１９を強度的に補強するための補強用鋼材３９が設けられている。補強用鋼材３９は、第１支持盤１１の裏面２１の端部４１から裏面２１を沿うように設けられ、第１支持盤１１と第２支持盤１９との連結部４３において、略直角に折曲し、第２支持盤１９の裏面２５に沿うように設けられ、第２支持盤１９の裏面２５の端部４５まで延設されている。補強用鋼材３９は、裏面２１および裏面２５に平行して２本形成されている。
【００１４】
ここで、図３に示すように、連結部４３において、補強用鋼材３９は略直角に折曲しているが、その周縁部４７は湾曲形成されて、滑らかに接地できる接地部４９として構成されている。また、接地部４９の周縁部４７は、連結部４３に最も近い第１車輪２３と連結部４３に最も近い第２車輪２７の、それぞれ支持面から遠い方の外周を結ぶ共通接線Ａよりも金型支持盤１１の外側に突出して形成されている。
【００１５】
次に、移動式金型反転装置１０の作用について図４に基づいて説明する。
図４（Ａ）に示すように、金型支持盤１１の第２支持盤１９の第２支持面１７上に金型５０を載置する。第２支持盤１９と垂直に接続された第１支持盤１５の裏面２１の第１差込み部材３１に操作用レバー３０を差し込む。この状態で、操作用レバー３０を手前側に倒す。
【００１６】
図４（Ｂ）に示すように、操作用レバー３０を手前側に倒すと、第２車輪２７が床面から離間する方向に移動する。このとき、連結部４３に最も近い車輪２７ａが床面から離間する前に、補強用鋼材３９の接地部４９が床面と接する。さらに倒すと、車輪２７ａが床面から離間し、接地部４９のみが床面と接する状態になる。ここで、接地部４９が湾曲形状になっているため、接地部４９で転がるようにしてスムーズに金型支持盤１１を手前側に倒すことができる。さらに倒すと、接地部４９が床面に接した状態で、連結部４３に最も近い第１支持盤１５側の車輪２３ａが床面と接する。そして、さらに金型支持盤１１を手前側に倒す。
【００１７】
図４（Ｃ）に示すように、第１支持盤１５の裏面２１が床面と略平行になるまで倒すことで、金型支持盤１１および金型支持盤１１に載置された金型５０を９０度反転させることができる。つまり、金型支持盤１１および金型５０を容易に姿勢変化させることができる。
【００１８】
したがって、上述のように構成した移動式金型反転装置１０は、Ｌ字状の金型支持盤１１の連結部４３における補強用鋼材３９の周縁部４７を床面に接触させ、そこを支点として手動により金型支持盤１１およびその上に載置された金型５０を容易に９０度反転させることができる。
【００１９】
また、移動式金型反転装置１０には、金型支持盤１１の金型５０を載せる第１支持盤１５の裏面２１および第２支持盤１９の裏面２５に各４個の車輪を装備し、金型５０を載置した状態で簡単に移動できる。
【００２０】
さらに、移動式金型反転装置１０は、金型支持盤１１に設けられた接地部４９が、金型支持盤１１の連結部４３に最も近い第１支持盤１５の車輪２３ａと第２支持盤１９の車輪２７ａとの共通接線Ａより外側に突出成形されているため、金型支持盤１１の第１支持盤１５に接続された操作用レバー３０を手前に倒したときに、金型支持盤１１の接地部４９が床面に接触し、そこを支点として金型支持盤１１を、バランスを崩さずに人力で容易に反転することができる。
【００２１】
接地部４９が、金型支持盤１１の連結部４３に最も近い第１支持盤１５の車輪２３ａと第２支持盤の車輪２７ａの、それぞれ支持面から遠い方の外周を結ぶ共通接線Ａから外側に突出する距離は特に限定されないが、移動式金型反転装置１０を移動する場合に、接地部４９が床面に接触して移動が困難とならない範囲で、前記共通接線Ａから外側に突出する距離が５ｍｍ以上となるようにすることが好ましい。接地部４９の形状は特に限定されないが、金型支持盤１１を反転するときに金型５０および移動式金型反転装置１０の略全重量が加わるため、床面にかかる荷重を分散するために湾曲形成させた方が好ましい。湾曲された丸みの半径は特に限定されないが、５ｍｍ以上が好ましい。
【００２２】
なお、金型５０が大型になると、操作用レバー３０を手前に倒す際に大きな力が必要となるため、本実施形態の移動式金型反転装置１０は重量が３５０ｋｇ以下の小型の金型に特に適している。
【００２３】
移動式金型反転装置１０の金型支持盤１１は、金型５０を支えるための強度を有する範囲内で、できるだけ軽量に設計する方が好ましく、重量が３５０ｋｇ以下の金型５０に対しては、金型支持盤１１の第１支持盤１５および第２支持盤１９の寸法は４００ｍｍ×４００ｍｍ以下が好ましく、厚さは１０ｍｍ以下が好ましい。
尚、移動式金型反転装置１０に用いる各部材の材料は特に制限されないが、機械的強度の観点から金属が好ましい。
【００２４】
金型支持盤１１の第１支持盤１５および第２支持盤１９の裏面２１および裏面２５には、操作用レバー３０の着脱を可能とする第１差込み部材３１および第２差込み部材３３を設けたため、金型支持盤１１の反転時には操作用レバー３０を金型支持盤１１の垂直面（第１支持盤１５）に取り付けて反転に要する力を低減し、移動時には金型支持盤１１の水平面から取り外して移動の妨げにならないようにすることが容易となり好ましい。
【００２５】
操作用レバー３０の材質は鋼管や木材などが使用でき、人力によって手前に倒すため、寸法は長い方が力は少なくて済むが、実際の操作性を考慮するとその長さは１７００ｍｍ以下が好ましい。
【実施例】
【００２６】
以下、実施例により具体的に説明するが、本発明はこれらによって限定されるものではない。
（Ｌ字型金型支持盤）
金型反転装置のＬ字型金型支持盤として、縦３６０ｍｍ、横３６０ｍｍ、厚さ７ｍｍの２枚の鋼板を溶接して作製した。
Ｌ字型金型支持盤には補強用として幅５０ｍｍ、厚み７ｍｍの鋼材を、中心線を挟んで間隔が２００ｍｍで平行になるようにＬ字型金型支持盤における金型を載せる面とは反対側の裏面に沿って垂直に２列溶接して取り付けた。
【００２７】
この補強用鋼材のＬ字型の連結部は、金型反転装置を９０度反転するときに支点となる接地部であり、半径２０ｍｍの丸みを形成した。
【００２８】
（操作用レバーの差込み部材）
金型反転装置の金型支持盤の第１支持盤および第２支持盤の裏面には、反転用の操作用レバーを差し込むための中空形状の鋼管からなる差込み部材（外形３０ｍｍ、肉厚１．８ｍｍ、長さ３００ｍｍ）を１６０ｍｍの間隔を空けて２本平行になるようにそれぞれ溶接して取り付けた。
【００２９】
（操作用レバー）
上述の差込み部材に差し込んで取り付ける鋼管製の操作用レバーは、外形２５ｍｍ、肉厚１．８ｍｍ、長さ１５００ｍｍの鋼管を２本用意し、矩形の鋼製中間部材により連結した。
この鋼管製の操作用レバーは、操作用レバーの差込み部材に２００ｍｍ挿入され、固定ピンにて固定できるようにした。
【００３０】
（金型支持盤に取り付ける車輪）
金型反転装置の金型支持盤の第１支持盤および第２支持盤の裏面には、平行に溶接して取り付けた操作用レバーの差込み部材と、Ｌ字型に沿って垂直に溶接して取り付けた補強用鋼材があり、それらの外側の鋼板の四隅に直径７０ｍｍの車輪をそれぞれの裏面に取り付けた。
金型支持盤の連結部に最も近い位置に取り付ける車輪の位置は、金型支持盤に溶接して取り付けたＬ字型の補強用鋼材の連結部が、装置を反転するときに接地して支点となるように調節して取り付けた。この場合、補強用鋼材のＬ字型の接地部は、金型支持盤の連結部に最も近い第１支持盤の車輪と第２支持盤の車輪の、それぞれ支持面から遠い方の外周を結ぶ共通接線から１５ｍｍ外側に出るように構成した。
【００３１】
上述の金型反転装置の金型支持盤の第２支持面に、重量が３１０ｋｇの射出成形用金型を載置し、金型支持盤の第１支持盤に取り付けた操作用レバーを手前に倒し、金型支持盤の接地部を床面に接地させて、そこを支点としてさらに操作用レバーを倒したところ、容易に金型支持盤と金型を９０度反転することができた。次いで、水平になった操作用レバーを第１差込み部材から引き抜き、それを第２支持盤に接合された第２差込み部材に差し込み、取っ手として掴み押すことにより金型を容易に移動することができた。
【００３２】
本実施形態によれば、第１支持面１３を備えた第１支持盤１５と第２支持面１７を備えた第２支持盤１９とが、Ｌ字型に連結され、金型５０を載置可能な金型支持盤１１を備えた移動式金型反転装置１０において、第１支持盤１５に第１車輪２３が設けられるとともに、第２支持盤１９に第２車輪２７が設けられ、金型支持盤１１における第１支持盤１５と第２支持盤１９との連結部４３に、第１車輪２３と第２車輪２７との共通接線Ａより外側に突出した接地部４９を形成した。
【００３３】
このように構成したため、移動式金型反転装置１０を小型化することができるとともに、安価に実現することができる。また、金型支持盤１１に接地部４９を形成しているため、接地部４９を支点として一方の第１支持盤１５から他方の第２支持盤１９へと金型５０の載置姿勢を切り換えることが可能となる。つまり、金型支持盤１１を容易に反転させることができる。さらに、金型支持盤１１に車輪２３，２７を設けたため、容易に移動させることができる。
【００３４】
また、第１支持盤１５および第２支持盤１９の裏面２１，２５に、金型５０を反転させるための操作用レバー３０を着脱可能に設けた。
このように構成したため、金型支持盤１１を反転させる際に、操作用レバー３０を用いて、てこの原理で金型支持盤１１を反転させることができ、容易に金型５０を反転させることができる。
【００３５】
尚、本発明の技術範囲は上述した実施形態に限られるものではなく、本発明の趣旨を逸脱しない範囲において種々の変更を加えることが可能である。すなわち、本実施形態で挙げた具体的な材料や構成などは一例に過ぎず、適宜変更が可能である。
【図面の簡単な説明】
【００３６】
【図１】本発明の実施形態における移動式金型反転装置の側面図である。
【図２】本発明の実施形態における移動式金型反転装置の背面図である。
【図３】図１のＢ部拡大図である。
【図４】本発明の実施形態における移動式金型反転装置を反転させる手順を示す説明図である。
【符号の説明】
【００３７】
１０…移動式金型反転装置  １１…金型支持盤  １３…第１支持面  １５…第１支持盤  １７…第２支持面  １９…第２支持盤  ２３…第１車輪  ２７…第２車輪  ３０…操作用レバー  ４３…連結部  ４９…接地部  Ａ…共通接線
【図１】
2008290270.tif 000003
【図２】
2008290270.tif 000004
【図３】
2008290270.tif 000005
【図４】
2008290270.tif 000006